(57)【要約】【課題】小規模店舗や一般家庭などの室内に設置可能であり、環境に優しくかつランニングコストも低く抑えることができる什器サイズの古紙再生装置を実現する洗浄技術を提供する。【解決手段】洗浄システムＣＳは、抄紙部４で脱水回収する白水Ｗを、洗浄水としてパルプ製造部２およびパルプ濃度調整部３に循環させることにより、これら上記パルプ製造部２およびパルプ濃度調整部３を洗浄する。これにより、装置構成部２、３の各所に残っている古紙パルプＵＰＰを有効に洗浄除去することができ、残存する古紙パルプＵＰＰが乾燥して、この乾燥した古紙パルプＵＰＰによる各所の弁やポンプ等の動作不良が発生するのを未然に防止するとともに、残存パルプＵＰＰによる濃度調整誤差の発生を未然に防止することができる。【選択図】図４
2008184699.tif 000002
【特許請求の範囲】
【請求項１】
古紙が発生する場所に配置可能な什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙部とを備えてなる古紙再生装置において、この古紙再生装置の装置構成部を洗浄処理する洗浄方法であって、
前記抄紙部で脱水回収する水を、洗浄水として少なくとも前記パルプ製造部およびパルプ濃度調整部に循環させることにより、これら前記パルプ製造部およびパルプ濃度調整部を洗浄する
ことを特徴とする古紙再生装置の洗浄方法。
【請求項２】
前記洗浄水を前記パルプ製造部およびパルプ濃度調整部に複数回循環させる
ことを特徴とする請求項１に記載の古紙再生装置の洗浄方法。
【請求項３】
前記洗浄に使用した使用済みの洗浄水を前記抄紙部により抄紙することにより、洗浄水を浄化処理する
ことを特徴とする請求項１または２に記載の古紙再生装置の洗浄方法。
【請求項４】
前記抄紙部で脱水回収する水による循環洗浄を、各古紙再生運転の終了毎に行う
ことを特徴とする請求項１から３のいずれか一つに記載の古紙再生装置の洗浄方法。
【請求項５】
前記抄紙部で脱水回収する水による循環洗浄を、一日の古紙再生装置の古紙再生運転の終了後に行う
ことを特徴とする請求項１から３のいずれか一つに記載の古紙再生装置の洗浄方法。
【請求項６】
古紙が発生する場所に配置可能な什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙部とを備えてなる古紙再生装置において、この古紙再生装置の装置構成部を洗浄処理する洗浄システムであって、
前記抄紙部で脱水回収される水が前記装置構成部に帰還利用される水循環方式とされるとともに、前記装置構成部が前記水循環方式を利用して洗浄処理される構成とされている
ことを特徴とする古紙再生装置の洗浄システム。
【請求項７】
前記抄紙部で脱水回収される水が、少なくとも前記パルプ製造部およびパルプ濃度調整部に循環することにより、これら前記パルプ製造部およびパルプ濃度調整部が洗浄される構成とされている
ことを特徴とする請求項６に記載の古紙再生装置の洗浄システム。
【請求項８】
前記パルプ製造部に洗浄水を供給する洗浄水給水源と、
この洗浄水給水源から前記パルプ製造部およびパルプ濃度調整部を介して前記給水源に帰還する洗浄水循環経路と、
この洗浄水循環経路に設けられ、洗浄水を洗浄水循環経路に循環させる循環ポンプと、
これら洗浄水給水源と循環ポンプを連動制御する洗浄制御部とを備えてなり、
前記洗浄水給水源は、前記抄紙部において濾過脱水される白水を回収する白水回収槽と、前記パルプ製造部に前記白水回収槽の白水を洗浄水として供給する給水ポンプとを備える
ことを特徴とする請求項７に記載の古紙再生装置の洗浄システム。
【請求項９】
前記洗浄制御部は、請求項１から５のいずれか一つの洗浄方法を実行するように前記洗浄水給水源と循環ポンプを連動制御する構成とされている
ことを特徴とする請求項８に記載の古紙再生装置の洗浄システム。
【請求項１０】
前記洗浄制御部は、前記洗浄水給水源および循環ポンプの駆動に連動して、洗浄処理される前記パルプ製造部およびパルプ濃度調整部を駆動制御する構成とされている
ことを特徴とする請求項８に記載の古紙再生装置の洗浄システム。
【請求項１１】
什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙工程部と、これらパルプ製造部および抄紙工程部を連動して駆動制御する制御部を備えるとともに、これら装置構成部を洗浄処理する請求項６から１０のいずれか一つに記載の洗浄システムを備える
ことを特徴とする古紙再生装置。
【発明の詳細な説明】
【技術分野】
【０００１】
本発明は古紙再生装置の洗浄方法およびシステムに関し、さらに詳細には、古紙が発生する場所に配置されて、発生する古紙を廃棄処分することなく、その場で再利用可能な紙に再生処理する什器サイズの小型古紙再生装置において、装置構成部を洗浄処理する洗浄技術に関する。
【背景技術】
【０００２】
官公庁や一般企業等の各種事業所の日常業務はもちろんのこと、一般家庭の日常生活においても、使用済みや不要となった各種書類いわゆる古紙が発生している。これらの古紙は、ゴミとして廃棄されたり、焼却されたりして、廃棄処分されることになる。
【０００３】
一方、限りある地球資源の有効利用という機運の世界的な高まりのなかで、近時、廃棄処分されてきた古紙を、廃棄処分することなく再生利用するための技術が種々開発されている。
【０００４】
これらの古紙再生技術は、ほとんどが製紙業界において採用実施されており、その古紙再生設備には、通常の製紙設備同様、再生紙の高速大量生産と高品質化を目的として、広大な敷地、莫大な投資、および紙抄きに使われる大量の水や薬品などが必要とされる。
【０００５】
また、古紙再生にあっては多くの人手による古紙回収作業が必要であり、しかも、この古紙回収には、多人数による異物混入、古紙再生紙への知識不足による分別不良、忌避品の除去不足などの問題があり、せっかく古紙を回収しても、これらの古紙を100％再生紙として再生するには、専門業者による再度の選別や洗浄等の作業を余儀なくされている。さらに、極秘文書などの古紙は、機密上の問題から古紙回収には簡単に出されることはなく、焼却処分されてしまうため、リサイクル化が進んでいない。
【０００６】
これらの古紙回収の問題を解決するには、古紙発生元において自前で再生利用することができるような技術の開発が有効であり、この観点から特許文献１に記載されるような装置が開発提案されている。
【０００７】
この装置は、少量の水を加えながら古紙を少しずつ引きちぎり細かく裁断する方式の湿式シュレッダであり、このシュレッダにより裁断処理された裁断屑は社外の古紙再生工場等へ送られて、再生紙の原料として再利用されている。
【０００８】
この湿式シュレッダによる裁断屑はパルプ化されて紙片の形態を留めていないので、高い機密性を保持することができ、極秘文書などの古紙のリサイクル化を促進するという効果が期待できる。
【０００９】
しかしながら、この湿式シュレッダは、かなり大型の装置で、大きな設置スペースを必要とすることから、多量の古紙が発生する大きな事業所等においてのみ使用可能なものであり、大きな設置スペースがなく、発生する古紙も少量であるような小規模店舗や個人事務所、あるいは一般家庭には不向きないしは使用不可能であった。しかも、裁断処理された裁断屑は再生紙の原料として再利用されるといっても、古紙再生工場等の大規模工場でのみ処理可能なもので、紙再生のためのコストも高くつき、不経済であった。
【００１０】
【特許文献１】特開平６−１３４３３１号公報
【発明の開示】
【発明が解決しようとする課題】
【００１１】
本発明はかかる従来の問題点に鑑みてなされたものであって、その目的とするところは、大きな事業所等だけでなく、小規模店舗や一般家庭などの室内にも設置可能であるとともに、環境に優しくかつランニングコストも低く抑えることができ、しかも、機密情報や個人情報など各種情報の漏洩・流出を確実に防止できて、高い機密性を保持することができる什器サイズの古紙再生装置を実現する洗浄技術を提供することにある。
【００１２】
また、本発明の他の目的とするところは、上記洗浄技術を導入した古紙再生装置を提供することにある。
【課題を解決するための手段】
【００１３】
この目的を達成するため、本発明の古紙再生装置の洗浄方法は、古紙が発生する場所に配置可能な什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙部とを備えてなる古紙再生装置において、この古紙再生装置の装置構成部を洗浄処理する洗浄方法であって、上記抄紙部で脱水回収する水を、洗浄水として少なくとも上記パルプ製造部およびパルプ濃度調整部に循環させることにより、これら上記パルプ製造部およびパルプ濃度調整部を洗浄することを特徴とすることを特徴とする。
【００１４】
好適な実施態様として、以下の構成が採用される。
（１）上記洗浄水を上記パルプ製造部およびパルプ濃度調整部に複数回循環させる。
【００１５】
（２）上記洗浄に使用した使用済みの洗浄水を上記抄紙部により抄紙することにより、洗浄水を浄化処理する。
【００１６】
（３）上記抄紙部で脱水回収する水による循環洗浄を、各古紙再生運転の終了毎に行う。
【００１７】
（４）上記抄紙部で脱水回収する水による循環洗浄を、一日の古紙再生装置の古紙再生運転の終了後に行う。
【００１８】
また、本発明の古紙再生装置の洗浄システムは、古紙が発生する場所に配置可能な什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙部とを備えてなる古紙再生装置において、この古紙再生装置の装置構成部を洗浄処理する洗浄システムであって、上記抄紙部で脱水回収される水が上記装置構成部に帰還利用される水循環方式とされるとともに、上記装置構成部が上記水循環方式を利用して洗浄処理される構成とされていることを特徴とする。
【００１９】
好適な実施態様として、以下の構成が採用される。
（１）上記抄紙部で脱水回収される水が、少なくとも上記パルプ製造部およびパルプ濃度調整部に循環することにより、これら上記パルプ製造部およびパルプ濃度調整部が洗浄される構成とされる。
【００２０】
（２）上記パルプ製造部に洗浄水を供給する洗浄水給水源と、この洗浄水給水源から上記パルプ製造部およびパルプ濃度調整部を介して上記給水源に帰還する洗浄水循環経路と、この洗浄水循環経路に設けられ、洗浄水を洗浄水循環経路に循環させる循環ポンプと、これら洗浄水給水源と循環ポンプを連動制御する洗浄制御部とを備えてなり、上記洗浄水給水源は、上記抄紙部において濾過脱水される白水を回収する白水回収槽と、上記パルプ製造部に上記白水回収槽の白水を洗浄水として供給する給水ポンプとを備える。
【００２１】
（３）上記洗浄制御部は、請求項１から５のいずれか一つの洗浄方法を実行するように上記洗浄水給水源と循環ポンプを連動制御する構成とされる。
【００２２】
（４）上記洗浄制御部は、上記洗浄水給水源および循環ポンプの駆動に連動して、洗浄処理される上記パルプ製造部およびパルプ濃度調整部を駆動制御する構成とされる。
【００２３】
さらに、本発明の古紙再生装置は、什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙工程部と、これらパルプ製造部および抄紙工程部を連動して駆動制御する制御部を備えるとともに、これら装置構成部を洗浄処理する上記洗浄システムを備えることを特徴とする。
【発明の効果】
【００２４】
本発明の洗浄方法によれば、古紙が発生する場所に配置可能な什器サイズの装置ケース内に、古紙を離解し叩解して古紙パルプを製造するパルプ製造部と、このパルプ製造部で製造された古紙パルプの濃度を調整するパルプ濃度調整部と、このパルプ濃度調整部で濃度調整された古紙パルプを抄紙して再生紙を製造する抄紙部とを備えてなる古紙再生装置において、上記抄紙部で脱水回収する水を、洗浄水として少なくとも上記パルプ製造部およびパルプ濃度調整部に循環させることにより、これら上記パルプ製造部およびパルプ濃度調整部を洗浄するようにしたから、装置構成部の各所に残っている古紙パルプを洗浄除去することができ、残存する古紙パルプが乾燥して、この乾燥した古紙パルプによる各所の弁やポンプ等の動作不良が発生するのを未然に防止するとともに、残存パルプによる濃度調整誤差の発生を未然に防止することができる。
【００２５】
また、本発明の洗浄システムを備える本発明の古紙再生装置にあっては、以下に列挙するような優れた特有の効果が得られ、大きな事業所等だけでなく、小規模店舗や一般家庭などにも設置可能であるとともに、環境に優しくかつランニングコストも低く抑えることができ、しかも、機密情報や個人情報など各種情報の漏洩・流出を確実に防止できて、高い機密性を保持することができる古紙再生装置を提供することができる。
【００２６】
（１）什器サイズの装置ケース内に、古紙を離解し叩解して古紙パルプを製造するパルプ製造部と、このパルプ製造部で製造された古紙パルプを抄紙して再生紙を製造する抄紙部（上記抄紙装置）を備えてなる小型簡素な構造の古紙再生装置が実現し、これにより、古紙を廃棄処分することなく、古紙発生元において自前で再生利用することができ、古紙の廃棄を軽減して、ゴミ問題解決に役立つばかりか、限りある資源を有効利用することができる。
【００２７】
特に、この種の古紙は機密上の問題からリサイクル化が進んでおらず、上記のように古紙発生元において自前で再生利用することができることにより、資源有効利用の効果は顕著である。
【００２８】
（２）また、古紙発生場所に、製紙工場や古紙再生工場の大規模な設備と同様な機能を有するコンパクトな古紙再生設備が設置されることにより、小規模店舗や一般家庭などにおいても、連続して紙の循環使用を可能にすることができ、さらには、古紙の回収廃棄に要する輸送費や焼却費等の各種経費も不要となって、経済的である。
【００２９】
（３）装置構造がコンパクトで、大きな事業所等だけでなく、小規模店舗や一般家庭などにも設置可能であり、この観点からも、機密情報や個人情報など各種情報の漏洩・流出を確実に防止することができる。
【００３０】
（４）古紙が発生する場所に配置されて、発生した古紙が離解処理されて古紙パルプとされるとともに、この古紙パルプが、上記抄紙部により抄紙されて再生紙とされ、これにより、上記古紙が、その発生場所内において再生紙として循環使用される構成とされていることにより、古紙に記載された文字や線図等の各種情報が古紙の発生場所外へ拡散することが全くなく、この点からも、機密情報や個人情報の漏洩・流出を確実に防止することができ、高い機密性を保持することができ、また資源の有効利用を図ることもできる。
【００３１】
すなわち、本発明の抄紙装置を抄紙部として備える古紙再生装置を使用することにより、その使用に係る一定の系（例えば、学校、病院、市役所、法律事務所、特許事務所、一般家庭等）の外へ上記各種情報が拡散するおそれが全くなくなる。
【００３２】
換言すれば、例えば従来周知のシュレッダの場合、古紙が裁断されて小片となり、そこに記載された文字や線図が判読不能となったとしても、裁断された紙片は焼却場等で廃棄処分されることになるため、上記系外への拡散を完全に防止することはできない。この点に関して、上記系外への拡散を防止する目的で、系内の倉庫に保管するという方法も考えられるが、反面、そのような保管場所の確保が必要となり、対象となる紙も一回の使用のみでは、資源の有効利用という観点から効率が悪い。
【００３３】
これに対して、本発明の古紙再生装置によれば、古紙に記載される各種情報がその使用に係る系外へと拡散しまうことは全くなく、しかも、資源を有効に活用することができる。
【発明を実施するための最良の形態】
【００３４】
以下、本発明の実施形態を図面に基づいて詳細に説明する。なお、図面全体にわたって同一の符号は同一の構成部材または要素を示している。
【００３５】
実施形態１
本発明に係る古紙再生装置が図１〜図１０に示されており、この古紙再生装置１は、具体的には古紙が発生する場所に配置されて、発生する古紙ＵＰを廃棄処分することなく、その場で再利用可能な紙に再生処理する装置であって、古紙ＵＰとしては、官公庁・一般企業の機密文書や一般家庭の私的文書等で、使用済みや不要となった書類が該当する。
【００３６】
古紙再生装置１は、図１０に示すような什器サイズ、つまり、事務所内に配置使用される書棚、ロッカー、事務机、複写機、パーソナルコンピュータなどの什器類と同等な小型形状寸法を備えるもので、図１に示すように、パルプ製造部２、パルプ濃度調整部３、抄紙部４および制御部５を主要部として構成さるとともに、上記装置構成部、具体的にはパルプ製造部２およびパルプ濃度調整部３を洗浄処理する洗浄システムＣＳを備えている。上記パルプ製造部２、パルプ濃度調整部３、抄紙部４、制御部５および洗浄システムＣＳは、装置ケース６内に装置収容されてなるコンパクト設計とされるとともに、上記パルプ製造部２および抄紙部４の駆動源が、一般家庭用交流電源により駆動する電動駆動源とされている。
【００３７】
装置ケース６は、上述したように什器サイズのもので、具体的な形状寸法は目的や用途に応じて適宜設計される。図示の実施形態の装置ケース６は、事務所等に配置使用される複写機程度の形状寸法を有するほぼ直方体形状の箱体とされ、その底部には移動手段としてキャスタ７、７、…が設けられて、設置床面上を方向自在に移動可能とされている。また、装置ケース６の天板部には、古紙ＵＰを投入するための投入口６ａが設けられるとともに、側部には、再生紙ＲＰ、ＲＰ、…を受け取るための再生紙受取トレー８が取外し可能に設けられている。この再生紙受取トレー８には、装置ケース６の排出口６ｂが臨んで設けられており、この排出口６ｂから排出される再生紙ＲＰ、ＲＰ、…が順次積層状に受け取られる。
【００３８】
パルプ製造部２は、古紙ＵＰを離解し叩解して古紙パルプを製造する工程部位で、古紙ＵＰを攪拌破砕して離解する離解部１０と、この離解部１０で離解された古紙ＵＰを叩解する叩解部１１とからなり、図示の実施形態においては、これら離解部１０および叩解部１１が古紙パルプＵＰを所定時間循環させる循環式とされている。
【００３９】
離解部１０は、古紙ＵＰを攪拌する攪拌装置１２と、この攪拌装置１２に水を供給する給水部１３とを備えてなる。
【００４０】
攪拌装置１２は、攪拌槽１５、攪拌インペラ１６および駆動モータ１７を備えてなる。攪拌槽１５は、図２に示すように、その天井壁に、装置ケース６の外部に対して開閉可能な構造を有する投入口６aが設けられるとともに、その内部に、上記攪拌インペラ１６が回転可能に設けられている。攪拌槽１５の内容積は、一度に攪拌処理すべき古紙ＵＰの枚数に応じて設定される。図示の実施形態においては、約５リットルの水を加えて、Ａ４判のＰＰＣ（plａin pａper copier）古紙ＵＰを２５枚程度（約１００ｇ）一度に攪拌処理（バッチ処理）できる容積を有する攪拌槽１５とされている。
【００４１】
また、攪拌インペラ１６は、攪拌槽１５の傾斜した底面部位に設けられるとともに、駆動モータ１７の回転軸１７ａに駆動連結されて、駆動モータ１７により連続的にまたは間欠的に正逆回転駆動される。駆動モータ１７としては具体的には電動モータが使用され、この駆動モータ１７が制御部５に電気的に接続されている。
【００４２】
このように攪拌インペラ１６が正逆回転されることにより、古紙ＵＰがＡ４判の大きさのままで攪拌される場合でも、攪拌インペラ１６の正回転後の逆回転による水の噴流作用により、古紙ＵＰが有効に分散させられる結果、攪拌インペラ１６に絡みつくのが有効に防止されて、これにより、古紙ＵＰ、ＵＰ、…の均一な離解・叩解が実現する。
【００４３】
給水部１３は、図１に示すように、白水回収槽２０および給水ポンプ２１を備えてなる。白水回収槽２０は、後述するように、抄紙部４において濾過脱水される白水Ｗ（抄紙する際に抄き網により濾過された極低濃度のパルプ水）を回収するもので、この白水回収槽２０に回収された白水Ｗが、給水ポンプ２１により、上記攪拌装置１２の攪拌槽１５に攪拌用の水として供給される。
【００４４】
また、この給水部１３は、後述するように、パルプ濃度調整部３の濃度調整用給水部（給水手段）としての機能に加え、洗浄システムＣＳの洗浄水供給源としての機能も兼備し、上記給水ポンプ２１が上記洗浄システムＣＳの給水ポンプとして機能するとともに、上記白水回収槽２０内にはパルプ濃度調整部３の濃度調整槽２６に濃度調整用の水を供給する濃度調整用給水ポンプ２７を備えている。２８および２９は、白水回収槽２０内に設けられた下限水位用フロートスイッチと上限水位用フロートスイッチをそれぞれ示している。
【００４５】
給水部１３の給水源は、白水回収槽２０に回収される抄紙部４で脱水された白水Ｗであり、換言すれば、抄紙部４で脱水回収される白水Ｗは、すべて古紙再生装置１の装置構成部、具体的には上記パルプ製造部２、パルプ濃度調整部３および洗浄システムＣＳで帰還利用される水循環方式とされている。
【００４６】
そして、攪拌装置１２において、装置ケース６の投入開口つまり投入口６aから攪拌槽１５内に投入された古紙ＵＰ、ＵＰ、…は、駆動モータ１７による攪拌インペラ１６の正転・逆転動作により、給水部１３から供給された水Ｗの中で所定時間（図示の場合は３分〜５分間）だけ攪拌され、これにより、離解・叩解されて、古紙パルプＵＰＰとなる。
【００４７】
叩解部１１は、少なくとも一台の叩解機を備え、図示の実施形態においては一台の叩解機３０を備えてなる。
【００４８】
叩解機３０は、上記離解部１０で離解された古紙ＵＰを加圧叩解するとともに、古紙ＵＰ上の文字、図形等を形成するインキ類を磨砕微細化するものである。
【００４９】
叩解機３０は、図３に示すように、微小な叩解隙間をもって対向配置されるとともに、相対的に移動する複数（図示の場合は二つ）の叩解部材３１、３２を主要部として構成され、具体的には、離解部１０の攪拌槽１５に連通可能な叩解槽３３と、この叩解槽３３内に相対的に移動可能に設けられた上記叩解部材３１、３２と、これら叩解部材３１、３２を相対的に移動させる駆動源３４とを備えてなる。
【００５０】
図示の叩解機３０においては、具体的には図示しないが、上記叩解部材３１、３２が相対的に回転する回円盤状の形態とされ、上側の叩解部材３１が固定側とされるとともに、下側の叩解部材３２が回転側とされてなる。
【００５１】
叩解槽３３は、上記一対の叩解部材３１、３２を収納可能な密閉型円筒形状とされ、上側槽３３ａと下側槽３３ｂが相互に螺合結合されてなる上下分割構造を備える。この叩解槽３３は、上側槽３３ａの天部中央部に供給口３５が開設されるとともに、下側槽３３ｂの円筒側部に排出口３６が開設されており、これら供給口３５および排出口３６は、それぞれ図示しない配管を介して、上記離解部１０の攪拌槽１５に連通可能に接続されている。なお、具体的には図示しないが、上記供給口３５が上記攪拌槽１５の底部位置に連通可能とされるとともに、上記排出口３６が上記攪拌槽１５の上部位置に連通可能とされている。
【００５２】
上側の固定側叩解部材３１は、上記上側槽３３ａの天部内側面に適宜の固定手段により固定的に設けられており、この固定側叩解部材３１に対して、下側の回転側叩解部材３２が微小な叩解隙間Ａをもって同心状にかつ回転可能に対向配置されている。
【００５３】
この回転側叩解部材３２は、回転基台３８上に一体的に設けられるとともに、この回転基台３８の回転支軸３８ａが、上記叩解槽３３の底部の底部中央の開口３７を介して、叩解槽３３の外部へ臨み、回転駆動源である駆動モータ３４の回転軸３４ａに直接取り付け固定されて、ダイレクトモータ構造とされている。この駆動モータ３４としては具体的には電動モータが使用され、この駆動モータ３４が制御部５に電気的に接続されている。
【００５４】
上記微小な叩解隙間Ａを形成する両叩解部材３１、３２の対向面３１ａ、３２ａ同士は協働して叩解作用面を形成する。これら対向する叩解作用面３１ａ、３２ａは、多数の砥粒が結合材により結合されてなる砥石面の形態とされ、また、両叩解作用面３１ａ、３２ａは、図３に示すように、その径寸法が互いの対向方向へ連続的に大きくなるテーパ面形状とされて、その間に両円錐形状の叩解隙間Ａが形成される。
【００５５】
また、上記固定側叩解部材３１の叩解作用面３１ａの中心部位には、叩解槽３３の供給口３５に同軸状に連通する入口３９が形成されるとともに、両叩解部材３１、３２の叩解作用面３１ａ、３２ａの外周縁部３１ｂ、３２ｂ間に形成される環状隙間４０が叩解槽３３の排出口３６に連通する出口とされている。
【００５６】
また、これに関連して、回転側叩解部材３２の叩解作用面３２ａには、複数の案内リブ４１、４１、…が周方向へ等間隔をもって設けられるとともに、回転側叩解部材３２を支持する回転基台３８の外周には、複数のブレード４２、４２、…が周方向へ所定間隔をもって設けられている。
【００５７】
回転側叩解部材３２の回転により、上記複数の案内リブ４１、４１、…は、上記入口３９から叩解隙間Ａに流入する古紙パルプＵＰＰを上記出口４０へ案内する作用をなし、また、上記複数のブレード４２、４２、…は、この出口４０から排出される古紙パルプＵＰＰを、遠心力で上記叩解槽３３の排出口３６へ向けて押出すポンプ作用をなす。
【００５８】
上記叩解隙間Ａの間隙寸法は、０．０５ｍｍ〜０．８ｍｍ程度に設定されている。なお、この叩解隙間Ａの間隙寸法は、叩解槽３３の上側槽３３ａと下側槽３３ｂを相対的に回転操作して、それらの螺合部分を螺進退させることで、微調整可能とされている。このように、叩解隙間Ａの間隙寸法が目的に応じて微調整可能とされることにより、上記叩解作用面３１ａ、３２ａの協働作用には、装置機械構造の強度と駆動力に応じた高い圧力と摺動力が得られる。また、叩解隙間Ａの間隙寸法を調整することにより、叩解部１１の叩解速度（叩解時間）を適宜調整することも可能である。
【００５９】
しかして、駆動モータ３４により、回転側叩解部材３２が固定側叩解部材３１に対して回転駆動された状態において、供給ポンプ１８（図４参照）上記離解部１０の攪拌槽１５から叩解槽３３の供給口３５へ供給される古紙パルプＵＰＰは、上記入口３９から叩解隙間Ａに流入して、この叩解隙間Ａを通過しながら、相対的に回転する叩解作用面３１ａ、３２ａによる加圧叩解作用を受けるとともに、古紙ＵＰ上の文字、図形等を形成するインキ類が磨砕微細化され、この後、上記出口４０から叩解槽３３の排出口３６を介して、再び上記攪拌槽１５へ還流される（図３における矢符で示される流通経路を参照）。
【００６０】
なお、上記叩解槽３３の供給口３５および排出口３６は、開閉手段により開閉可能とされている。この開閉手段の具体的構造は図示しないが、例えば、従来公知の手動または自動の開閉弁が設けられてなる。これら開閉弁は、叩解部１１が運転停止時には上記供給口３５および排出口３６を閉止して、攪拌装置１２の攪拌槽１５からの古紙ＵＰや古紙パルプＵＰＰの叩解槽３３への流入を阻止する一方、叩解部１１の運転時には供給口３５および排出口３６を開口して、攪拌槽１５と叩解槽３３との間での古紙パルプＵＰＰの循環回流を許容する。
【００６１】
この場合、離解部１０が叩解部１１と同時に駆動していると、叩解槽３３は、離解部１０の攪拌槽１５と共に古紙パルプＵＰＰが回流するパルプ回流槽を構成して、このパルプ回流槽１０、２３を循環回流する古紙パルプＵＰＰは、離解部１０による攪拌離解作用と、叩解部１１による加圧叩解作用およびインキ磨砕微細化作用を順次繰り返して受けることになる。この結果、後述する抄紙部４で抄紙再生される再生紙ＲＰにとっての最適な紙力強度が確保されるとともに、白色度の高い再生紙ＲＰを得ることができる（脱墨と同等な効果が得られる）。
【００６２】
これら離解部１０が叩解部１１による離解・叩解が終了した古紙パルプＵＰＰは、上記攪拌槽１５からその下側に配置された濃度調整槽２６に自然落下供給されて貯留される。
【００６３】
パルプ濃度調整部３は、攪拌槽１５の下流側に設けられて、攪拌槽１５で製造された古紙パルプＵＰＰの濃度を後続の抄紙に適した適正濃度に調整するものである。このパルプ濃度調整部３は、攪拌槽１５で製造された古紙パルプＵＰＰを貯留する濃度調整槽２６と、この濃度調整槽２６に水を供給する濃度調整用給水部とを備えてなり、この濃度調整用給水部としては、前述したごとく、給水部１３が兼用されている。
【００６４】
濃度調整槽２６の内容積は、攪拌装置１２によりバッチ処理される古紙ＵＰの枚数（量）に応じて設定される。図示の実施形態においては、前述したように、８枚程度（約３２ｇ）のＡ４判の古紙ＵＰがバッチ処理されるので、これに対応した量の古紙パルプＵＰＰの濃度を調整できる容積を有する濃度調整槽２６とされている。
【００６５】
これに関連して、上記攪拌装置１２の攪拌槽１５の底部には、排水口１５ｂが設けられており、この排水口１５ｂは図示しない排水弁により開閉動作される構成とされている。この排水弁は具体的には電磁開閉弁からなり、上記制御部５に電気的に接続されている。
【００６６】
パルプ濃度調整部３の具体的な濃度調整方法は、上記濃度調整槽２６において、攪拌槽１５内でバッチ処理にて製造された古紙パルプＵＰＰの全量に対して、上記濃度調整用給水部１３から水Ｗが加水されて、これら古紙パルプＵＰＰと水Ｗの合計体積が所定値になることにより、所定濃度のパルプ懸濁液ＰＳとなるように構成されている。
【００６７】
なお、調整されるべきパルプ懸濁液ＰＳの目標濃度は、予め行なった実験データに基づいて、後述する抄紙部３における抄紙能力を考慮して設定され、図示の場合は約０．１％濃度に設定されている。４３は、濃度調整槽２６内に設けられたフロートスイッチで、濃度調整槽２６内のパルプ懸濁液ＰＳの量（古紙パルプＵＰＰと水Ｗの合計体積）が上記所定値になったときの水位を検知する。
【００６８】
しかして、上記濃度調整槽２６において、上記攪拌槽１５（および叩解槽３３）で製造された古紙パルプＵＰＰの全量が、攪拌槽１５の排水口１５ｂから自重で濃度調整槽２６内へ落下供給されるとともに、この古紙パルプＵＰＰに対して、濃度調整用給水部１３から白水Ｗが上記所定値になるまで加水されて（フロートスイッチ４３により検知）、これにより古紙パルプＵＰＰの濃度が調整されて、所定濃度のパルプ懸濁液ＰＳとされる。
【００６９】
図示の実施形態においては、上記古紙パルプＵＰＰの全量（約３２ｇの古紙ＵＰ＋１．５リットルの水Ｗ）に対して、上記濃度調整用給水部１３から希釈用の水Ｗが加水されて、古紙パルプＵＰＰと水Ｗの合計体積（全量）が３２リットルになるように制御され、これにより、約０．１％濃度（目標濃度）のパルプ懸濁液ＰＳが調製される。この濃度調整されたパルプ懸濁液ＰＳは、第１懸濁液供給ポンプ４４により、次工程の抄紙部３のパルプ供給槽８５へ送られる。
【００７０】
抄紙部４は、上記離解部１０で製造された古紙パルプＵＰＰ（具体的には、パルプ濃度調整部３による濃度調整がなされたパルプ懸濁液ＰＳ）を抄紙して再生紙ＲＰを製造する工程部位で、抄紙工程部５０、脱水ロール部５１および乾燥工程部５２を備えてなる。
【００７１】
抄紙工程部５０は、上記パルプ製造部２の離解部１０から送られてくる水Ｗと古紙パルプＵＰＰが共存するスラリー状のパルプ懸濁液ＰＳを抄いて湿紙とする部位で、抄紙コンベア５５とパルプ供給部５６を主要部として構成されている。
【００７２】
抄紙コンベア５５は、パルプ懸濁液を抄きながら搬送するもので、上記パルプ懸濁液ＰＳを濾過脱水する無数の網目よりなる抄き網構造の網状ベルト６０がその走行方向へ向けて直線状に走行する配置構成とされている。
【００７３】
具体的には、抄紙コンベア５５は、パルプ懸濁液ＰＳを抄きながら搬送する無端ベルトの形態とされた上記網状ベルト６０と、この網状ベルト６０を走行駆動する駆動モータ６１とを備えてなる。
【００７４】
網状ベルト６０は、具体的には、所定幅を有する抄き網構造の板材が所定長さの環状に接続形成されてなる無端ベルトである。
【００７５】
この網状ベルト６０を構成する抄き網構造の板材は、パルプ懸濁液ＰＳが上記抄き網構造の無数の網目により適正に濾過脱水できる材質とされ、図示の実施形態においては、耐熱性に優れるＰＥＴ製網状ベルト６０とされている。
【００７６】
また、網状ベルト６０を構成する抄き網構造は、網目の細かいものや織り目の細かく平滑なものが好ましく、具体的には対象となる紙の特性に対応して選択される。
【００７７】
さらに、網状ベルト６０の幅寸法は、パルプ懸濁液ＰＳを抄いて製造すべき再生紙ＲＰの幅寸法よりも若干大きな所定幅寸法に設定される。
【００７８】
網状ベルト６０は、図１および図４に示すように、駆動ローラ６５、従動ローラ６６、支持ローラ６７、脱水ロール７０および予備脱水ロール７４を介して、回転走行可能に懸架支持されるとともに、上記駆動ローラ６５を介して、上記駆動モータ６１に駆動連結されている。
【００７９】
網状ベルト６０は、図１および図５に示すように、その走行方向へ向けて上向き傾斜状にかつ直線状に走行する配置構成とされて、限られた設置空間における抄紙工程長さの可及的延長が図られるとともに、網状ベルト６０の抄き網構造との関係での濾過脱水率の向上が図られている。この網状ベルト６０の上向き傾斜角度αは、目的に応じて設定され、好適には３度〜１２度に設定され、図示の実施形態においては６度に設定されている。
【００８０】
上記網状ベルト６０を走行駆動する駆動モータ６１は、具体的には電動モータで、制御部５に電気的に接続されている。また、この駆動モータ６１は、後述する脱水ロール部５１および乾燥工程部５２の走行駆動源としても共用され、この共用のための構造つまり駆動連結機構については後述する。
【００８１】
パルプ供給部５６は、上記網状ベルト６０上に上記パルプ製造部２の離解部１０からのパルプ懸濁液ＰＳを供給する部位で、このパルプ供給部５６により、パルプ懸濁液ＰＳが上記網状ベルト６０上面に均一に広がり供給される構成とされている。上記抄紙工程部５０は、上記抄紙コンベア５５の抄紙工程開始端位置に設けられている。
【００８２】
図示のパルプ供給部５６の具体的構造が図７および図８に示されている。すなわち、このパルプ供給部５６において、上記網状ベルト６０が上述のごとく走行方向へ向けて上向き傾斜状に配置されるとともに、この網状ベルト６０の上下両側位置に、抄き枠体７８および仕切り部材７９がそれぞれ配置されてなる。
【００８３】
抄き枠体７８は、網状ベルト６０の上面に摺接可能に配設されるもので、図７および図８に示すように、先端部つまり網状ベルト６０の走行方向側端部が開放された平面コ字形状の本体枠８０と、この本体枠８０の後端部に設けられたオーバフロー槽８１とを備える。
【００８４】
上記本体枠８０は、その下端面８０ａが傾斜走行する上記網状ベルト６０の上面に摺接するように配されるとともに、本体枠８０の枠内幅寸法Ｗ（図７参照）が製造すべき再生紙ＲＰの幅寸法に設定されている。
【００８５】
上記オーバフロー槽８１は、上記本体枠８０の後端部に一体的に固設されており、その前壁上端縁８１ａが水平直線状に形成されたオーバフロー部とされるとともに、このオーバフロー槽８１内に、前記パルプ供給槽８５のパルプ懸濁液ＰＳを供給する懸濁液供給配管９０の供給開口９０ａが臨んで設けられている。
【００８６】
そして、パルプ懸濁液ＰＳが上記懸濁液供給配管９０からオーバフロー槽８１内に供給され貯留されて、オーバフロー槽８１がパルプ懸濁液ＰＳで満杯になると、さらなるパルプ懸濁液ＰＳの供給により、パルプ懸濁液ＰＳは、オーバフロー槽８１のオーバフロー部８１ａから図８に矢符にて示されるようにオーバフローして、後述する仕切り部材７９の平板部材８２上に流下することとなる。
【００８７】
仕切り部材７９は、網状ベルト６０の下面に摺接可能に配設されるもので、図７および図８に示すように、複数本の骨組み部材７９ａ、７９ａ、…からなる水切り可能なスノコ構造を備え、上記網状ベルト６０の下面全幅を摺接支持する形状寸法を有するとともに、上記スノコ構造の基端側部位が平板部材８２により閉塞されている。
【００８８】
平板部材８２は、上記抄き枠体７８のオーバフロー槽８１に対応した位置に設けられ、具体的には、図８に示すように、オーバフロー槽８１からオーバフローするパルプ懸濁液ＰＳの流下位置に対応して配置され、これにより、網状ベルト６０におけるパルプ懸濁液ＰＳの流下供給部位の網目が平板部材８２により閉塞状態に支持されている。
【００８９】
また、上記パルプ供給部５６の上流側には、このパルプ供給部５６にパルプ懸濁液ＰＳを供給される前記パルプ供給槽８５が設けられている。
【００９０】
このパルプ供給槽８５に貯留されるパルプ懸濁液ＰＳは、下限水位用フロートスイッチ８７および上限水位用フロートスイッチ８８により検知されて、第二懸濁液供給ポンプ８９により、上記パルプ供給部５６のオーバフロー槽８１内へ連続的に供給される構成とされている。
【００９１】
しかして、上記パルプ供給槽８５に貯留されるパルプ懸濁液ＰＳが、第二懸濁液供給ポンプ８９により、上記パルプ供給部５６のオーバフロー槽８１内へ供給され、このオーバフロー槽８１に供給されたパルプ懸濁液ＰＳは、図８に示すように、オーバフロー槽８１からオーバフローした後、平板部材８２上に流下する。
【００９２】
そして、パルプ懸濁液ＰＳは、抄き枠体７８の本体枠８０と仕切り部材７９との協働による滞留作用により、網状ベルト６０上面に均一に拡散されるとともに、網状ベルト６０の矢符方向への走行作用により、上記本体枠８０により規定された幅寸法を保持しつつ網状ベルト６０と共に搬送されながら、網状ベルト６０の網目による自重濾過作用を受けて脱水されて、湿紙ＲＰ0となる。この濾過脱水された白水Ｗ（抄紙する際に抄き網により濾過された極低濃度のパルプ水）は、前述したように、上記給水部１３の白水回収槽２０に回収される。
【００９３】
脱水ロール部５１は、上述の抄紙工程部５０と後述の乾燥工程部５２の連係部において、上記網状ベルト６０上の湿紙ＲＰ0を圧搾脱水する部位である。
【００９４】
具体的には、下流側の上記乾燥工程部５２の後述する平滑面ベルト９５と上流側の上記抄紙工程部５０の網状ベルト６０とが図１および図５に示すように、上下に積層状に配設されるとともに、これら平滑面ベルト９５と網状ベルト６０の上下隣接部分が上記連係部とされて、上記脱水ロール部５１が、これら網状ベルト６０および平滑面ベルト９５を上下両側から挟圧状に転動圧搾する構造とされている。
【００９５】
上記脱水ロール部５１は、脱水ロール７０、プレスロール７１および駆動モータ７２を主要部として備えるととともに、その補助部として、予備脱水ロール７４およびスラリー化防止ロール７５が設けられている。
【００９６】
脱水ロール７０は、網状ベルト６０に下側から転接するもので、具体的には、図９に示すように、高剛性材料からなる円筒ロール７０ａの外周に、微細連続気孔の多孔質材料からなる脱水層７０ｂが巻装されてなる。脱水層７０ｂは、親水性、吸水性および保水性に優れる材料からなり、好適には柔軟性に優れる微細連続気孔の多孔質材料からなる。
【００９７】
図示の実施形態の脱水ロール７０は、ステンレス鋼製円筒ロール７０ａの円筒外周面に、ミクロンサイズの超微細な連続気孔を有する超微細連続発泡材料からなる円筒状の脱水層７０ｂが外嵌されてなる単層構造とされている。
【００９８】
プレスロール７１は、後述する乾燥工程部５２の平滑面ベルト９５を上側から転動加圧するもので、具体的には、高剛性材料からなる円筒ロールの形態とされている。図示の実施形態のプレスロール７１は、ステンレス鋼製円筒ロールからなる。
【００９９】
これら脱水ロール７０とプレスロール７１は、具体的には単一の駆動モータ７２に駆動連結されて、両ロール７０、７１が連動して回転駆動される。この場合、これら両ロール７０、７１は、その外周面間において挟圧状に転動圧搾される網状ベルト６０、平滑面ベルト９５の接触面（網状ベルト６０の下面および平滑面ベルト９５の上面）に対して、両ロール７０、７１の外周面が、互いに僅かの回転速度差をもってそれぞれ転動接触するように回転制御される。
【０１００】
具体的には、プレスロール７１の回転速度が脱水ロール７０の回転速度よりも僅かに大きく設定されており、これにより、平滑面ベルト９５の走行速度が、上記網状ベルト６０の走行速度よりも大きく設定されることになる。このような構成とされることにより、後述するように、脱水ロール部５１により圧搾脱水された湿紙ＲＰ0が、下側の網状ベルト６０の上面から上側の平滑面ベルト９５の下面に転写移転される際に、湿紙ＲＰ0にテンションがかかって、湿紙ＲＰ0に皺が発生するのを有効に防止する。
【０１０１】
また、上記駆動モータ７２は、図示の実施形態においては、後述するように、抄紙工程部５０の駆動モータ６１が共用とされている。
【０１０２】
そして、この駆動モータ７２の駆動により、上記両ロール７０、７１が、上記両ベルト６０、９５を上下両側から挟圧状に転動圧搾して、網状ベルト６０上の湿紙ＲＰ0に含まれている水分Ｍが上記網状ベルト６０を介して上記脱水ロール７０に吸水されて脱水される。この圧搾脱水された白水Ｗは、給水部１３の白水回収槽２０に回収される。
【０１０３】
この圧搾脱水の具体的メカニズムを図９（ａ）により説明すると、上記両ロール７０、７１の回転により、上面に湿紙ＲＰ0を載置した網状ベルト６０と平滑面ベルト９５が、その間に上記湿紙ＲＰ0を介在させた状態で、上記両ロール７０、７１間へ案内されて、上下両側から挟圧状に転動圧搾される。すると、湿紙ＲＰ0に含まれている水分Ｍは、上記両ロール７０、７１の上流側（図面において右側）へ搾り出されるが、上側の平滑面ベルト９５が後述するように平滑面を有する孔のない構造であることから、この搾り出された水分Ｍはすべて下側の網状ベルト６０の微細な連続気孔を通過して上記脱水ロール７０の脱水層７０ｂに吸水される。
【０１０４】
予備脱水ロール７４およびスラリー化防止ロール７５は、これら脱水ロール部５１におけるプレスロール７１と脱水ロール７０による圧搾脱水作用を補助するために設けられている。
【０１０５】
予備脱水ロール７４は、図１に示すように、脱水ロール部５１の上流側において、上記網状ベルト６０に下側から転接してテンションを与えるように配設されている。
【０１０６】
この予備脱水ロール７４の具体的構造は、上記脱水ロール７０と同様であり、高剛性材料からなる円筒ロール７４ａの外周に、微細連続気孔の多孔質材料からなる脱水層７４ｂが巻装されてなる。図示の実施形態の予備脱水ロール７４は、ステンレス鋼製円筒ロール７４ａの円筒外周面に、ミクロンサイズの超微細な連続気孔を有する超微細連続発泡材料からなる円筒状の脱水層７４ｂが外嵌されてなる単層構造とされている。
【０１０７】
そして、網状ベルト６０上面に均一に拡散されて、この網状ベルト６０と共に搬送される湿紙ＲＰ0は、網状ベルト６０により濾過脱水されながら、上記予備脱水ロール７４によっても複合的に吸水脱水されて、プレスロール７１と脱水ロール７０による圧搾脱水作用を予備的に補助する。
【０１０８】
スラリー化防止ロール７５は、図１および図９（ｂ）に示すように、脱水ロール部５１の上流側近傍位置において、上記平滑面ベルト９５を上側から転動加圧して、平滑面ベルト９５を下側の網状ベルト６０上の湿紙ＲＰ0に押さえ付けるように配設されている。
【０１０９】
そして、図９（ｂ）を参照して、脱水ロール７０とプレスロール７１により、上面に湿紙ＲＰ0を載置した網状ベルト６０と平滑面ベルト９５が上下両側から挟圧状に転動圧搾されると、湿紙ＲＰ0に含まれている水分Ｍは、両ロール７０、７１の上流側（図面において右側）へ搾り出されるが、同時に、脱水ロール７０自身が先の圧搾脱水の結果保水している水分Ｍもまた搾り出される。
【０１１０】
この場合、スラリー化防止ロール７５が設けられていないとすると、図９（ａ）に示すように、両ロール７０、７１の上流側近傍位置においては、上側の平滑面ベルト９５と下側の網状ベルト６０との交差角度（これら両ベルト６０、９５が両ロール７０、７１による挟圧点を交点として挟む角度）が比較的大きく、これにより、上側の平滑面ベルト９５が下側の網状ベルト６０上の湿紙ＲＰ0に対して離隔した状態にある。このため、両ロール７０、７１の上流側へ搾り出された上記湿紙ＲＰ0に含まれている水分と脱水ロール７０自身が保水していた水分の複合された水分Ｍの一部Ｍ´が、上記網状ベルト６０を介して上記脱水ロール７０に吸水されずに、湿紙ＲＰ0に吸収されて、湿紙ＲＰ0が再びスラリー化してしまうおそれがある。
【０１１１】
なお、上側の平滑面ベルト９５と下側の網状ベルト６０との交差角度がそれほど大きくない場合には、上記のような問題は起こらないため、上記スラリー化防止ロール７５の設置を省略することも可能である。
【０１１２】
上記脱水ロール部５１により圧搾脱水された湿紙ＲＰ0は、脱水ロール部５１の下流側部位において、下側の網状ベルト６０の上面から上側の平滑面ベルト９５の下面に転写移転されて、平滑面ベルト９５と共に搬送されて、乾燥工程部５２による乾燥工程が実施される。
【０１１３】
なお、上記移転作用は平滑面ベルト９５の平滑面構造により起こるものと考えられる。つまり、下側の網状ベルト６０の表面が、微細な連続気孔が多数開口されてなる微細凹凸面であるのに対して、上側の平滑面ベルト９５の表面が孔のない平滑面であり、この結果、僅かに水分を含んでいる湿紙ＲＰ0が上記平滑面ベルト９５の表面との間の表面張力で吸着されるものと考えられる。
【０１１４】
また、前述したように、平滑面ベルト９５の走行速度は、網状ベルト６０の走行速度よりも大きく設定されており、これにより、脱水ロール部５１により圧搾脱水された湿紙ＲＰ0が、下側の網状ベルト６０の上面から上側の平滑面ベルト９５の下面に転写移転されるに際して、上記湿紙ＲＰ0に上記速度差によるテンションがかけられる結果、湿紙ＲＰ0は皺が寄ることなく平滑な状態で平滑面ベルト９５に転写され得る。
【０１１５】
乾燥工程部５２は、上記抄紙工程部５０で抄紙形成された後、脱水ロール部５１で圧搾脱水された湿紙ＲＰ0を乾燥させて再生紙ＲＰとする部位で、乾燥コンベア９１と加熱乾燥部９２を主要部として構成されている。
【０１１６】
乾燥コンベア９１は、脱水ロール部５１で圧搾脱水された湿紙ＲＰ0を平滑にしながら搬送するもので、上記平滑面ベルト９５とこの平滑面ベルト９５を走行駆動する駆動モータ９６とを備えてなる。
【０１１７】
平滑面ベルト９５は、湿紙ＲＰ0を加熱乾燥させながら搬送するもので、具体的には、所定幅を有する平滑面構造の板材が所定長さの環状に接続形成されてなる無端ベルトである。
【０１１８】
上記所定幅は、網状ベルト６０と同様に、製造すべき再生紙ＲＰの幅寸法よりも若干大きな寸法に設定される。また、平滑面構造の板材は、湿紙ＲＰ0の片側表面を適正な平滑面に仕上げることができ、かつ後述する加熱乾燥部９７による加熱作用に耐え得る材質とされ、図示の実施形態においては、フッ素樹脂製ベルトが採用されている。
【０１１９】
この平滑面ベルト９５は、図１および図５に示すように、駆動ローラ１００、従動ローラ１０１、１０２、プレスロール７１、スラリー化防止ロール７５、平滑面仕上げロール１０３、１０３および予備脱水ロール７４を介して、回転走行可能に懸架支持されるとともに、上記駆動ローラ１００を介して、上記駆動モータ９６に駆動連結されている。
【０１２０】
平滑面ベルト９５を走行駆動する駆動モータ９６は、前述したように、上記抄紙ネットコンベア部４０および脱水ロール部４１の走行駆動源としても共用され、この共用のための構造つまり駆動連結機構が図６に示されている。
【０１２１】
図６において、１０５は動力伝達ギヤ、１０６はスプロケット、１０７はスプロケット１０６、１０６間に掛け渡される動力伝達チェーン、および１０８は動力伝達軸をそれぞれ示している。
【０１２２】
上記動力伝達ギヤ１０５、１０５、…、スプロケット１０６、１０６、…の歯車比は、駆動源が単一の駆動モータ９６であることから、駆動ローラ１００、従動ローラ１０１、１０２、プレスロール７１、スラリー化防止ロール７５、平滑面仕上げロール１０３、１０３および予備脱水ロール７４のすべてが、平滑面ベルト９５に対して、互いに実質的に同一の周速度をもってそれぞれ転動接触するように設定されている。
【０１２３】
加熱乾燥部９２は、上記平滑面ベルト９５上の湿紙ＲＰ0を加熱乾燥する部位で、上記平滑面ベルト９５の走行経路途中箇所に配されたヒータプレート１０９を加熱部として備える。
【０１２４】
図示の実施形態のヒータプレート１０９は、上記平滑面ベルト９５の走行経路における水平走行部分に設けられており、具体的には、平滑面ベルト９５における上記湿紙ＲＰ0の保持面である上面と反対側面つまり下面に摺接して設けられている。これにより、上記平滑面ベルト９５上の湿紙ＲＰ0は、上記ヒータプレート１０９により加熱された平滑面ベルト９５により間接的に加熱乾燥されることとなる。
【０１２５】
また、平滑面ベルト９５の走行途中に、上記２つの平滑面仕上げロール１０３、１０３が配設されている。具体的には、これら平滑面仕上げロール１０３、１０３は、上記平滑面ベルト９５の走行経路における水平走行部分において、上記ヒータプレート１０９と対向して並列状に配置されている。
【０１２６】
そして、両平滑面仕上げロール１０３、１０３は、平滑面ベルト９５上の湿紙ＲＰ0を順次転動加圧して、平滑面ベルト９５の表面に接触する湿紙ＲＰ0の片側表面と反対側表面を適正な平滑面に仕上げる。
【０１２７】
上記平滑面ベルト９５における上記加熱乾燥部９２の下流側には、剥離部材１１０が設けられている。この剥離部材１１０は、具体的には耐熱性を有する弾性ヘラの形態とされており、図示の実施形態の剥離部材１１０は、弾性変形可能な０．１〜０．３ｍｍ厚程度のステンレス鋼板の外周面にテフロン（登録商標）加工が施されてなり、その基端部が固定側に支持されるとともに（図示省略）、その先端エッジ１１０ａが上記平滑面ベルト９５の表面に弾発的に当接係止されている。
【０１２８】
そして、平滑面ベルト９５上で乾燥処理されて搬送される乾紙つまり再生紙ＲＰは、上記剥離部材１１０の先端エッジ１１０ａにより、平滑面ベルト９５の保持面から順次剥離されることとなる。
【０１２９】
これに関連して、この剥離部材１１０の下流側つまり平滑面ベルト９５の走行経路終端位置、つまり乾燥工程部５２の終端位置には、上記平滑面ベルト９５から剥離された再生紙ＲＰを所定形状寸法（図示の場合は長さ寸法のみ）に切断する定寸カッタ１１１が設けられている。この定寸カッタ１１１の具体的構造は図示しないが、例えば、従来公知の両サイドスリッターの形態とされ、ソレノイドによりギロチンカット動作する構造が採用され得る。
【０１３０】
そして、平滑面ベルト９５から剥離された再生紙ＲＰは、定寸カッタ１１１により所定長さ（図示の実施形態においては、Ａ４版の縦寸法）に切断されて、再使用可能な形状寸法の再生紙ＲＰとされ、装置ケース６の排出口６ｂから排出される。なお、この場合の所定長さでの切断は、平滑面ベルト９５のベルト送り量を近接スイッチ、エンコーダ等のセンサにより計測して行う。
【０１３１】
洗浄システムＣＳは、上記装置構成部、具体的にはパルプ製造部２およびパルプ濃度調整部３を洗浄処理するものである。
【０１３２】
この洗浄システムＣＳは、抄紙部４で脱水回収される水つまり白水Ｗが少なくとも上記パルプ製造部２およびパルプ濃度調整部３に帰還利用される水循環方式とされるとともに、この水循環方式を利用してこれら装置構成部２、３が洗浄処理される構成とされている。
【０１３３】
洗浄システムＣＳは、図４に示すように、洗浄水給水源である前記給水部１３、洗浄水循環経路Ｒ1〜Ｒ6、循環ポンプ２１、１８、２７、４４、８９および洗浄制御部１２０を主要部として備える。
【０１３４】
給水部１３の給水源は、前述したように、白水回収槽２０に回収される抄紙部３で脱水された白水Ｗであり、この抄紙部３で脱水回収される白水Ｗは、すべて上記離解部１０の攪拌装置１２およびパルプ濃度調整部３で帰還利用される水循環方式とされている。
【０１３５】
洗浄水循環経路Ｒ1〜Ｒ6は、上記給水部１３から上記パルプ製造部２およびパルプ濃度調整部３を介して再び上記給水部１３に帰還する構成とされ、具体的には、白水回収槽２０から攪拌槽１５に至る経路Ｒ1、攪拌槽１５から叩解槽３３に至る経路Ｒ2、叩解槽３３から攪拌槽１５に至る経路Ｒ3、白水回収槽２０から濃度調整槽２６に至る経路Ｒ4、濃度調整槽２６からパルプ供給槽８５に至る経路Ｒ5、およびパルプ供給槽８５からパルプ供給部５６に至る経路Ｒ6で構成されている。
【０１３６】
循環ポンプ２１、１８、２７、４４、８９は、上記洗浄水循環経路Ｒ1〜Ｒ6具体的には上記各槽２０、１５、２６、８５に設けられた前記各供給ポンプからなり、洗浄水Ｗを上記洗浄水循環経路Ｒ1〜Ｒ6に循環させる。
【０１３７】
洗浄制御部１２０は、上記給水部１３の給水ポンプ２１、２７と循環ポンプ１８、４４、８９を連動制御するもので、具体的には、制御部５の一部を構成しており、以下の洗浄工程（１）〜（５）を実行するように、上記給水部１３の給水ポンプ２１、２７と循環ポンプ１８、４４、８９を連動制御する構成とされており、またこの洗浄工程において、これらポンプ２１、１８、２７、４４、８９の駆動に連動して、洗浄処理される上記パルプ製造部２およびパルプ濃度調整部３、さらには抄紙部４を駆動制御する構成とされている。
【０１３８】
すなわち、図外の通常運転スイッチ（つまり古紙再生運転スイッチ）と別個独立して設けられた洗浄運転スイッチを入れると、上記洗浄制御部１２０により、以下の洗浄工程（１）〜（５）が実行されて、抄紙部４で脱水回収する白水Ｗが洗浄水としてパルプ製造部２およびパルプ濃度調整部３に循環して、これらパルプ製造部２およびパルプ濃度調整部３が洗浄される。
【０１３９】
（１）白水回収槽２０内に脱水回収されている白水Ｗが、給水ポンプ２１により、経路Ｒ1を介してパルプ製造部２の攪拌槽１５に供給され、さらに供給ポンプ１８により、経路Ｒ2を介して叩解槽３３に入る。
【０１４０】
これと連動して、攪拌槽１５の攪拌装置１２および叩解槽３３の叩解部材３１、３２が相対的に回転駆動し、これにより、洗浄水Ｗは、攪拌槽１５から叩解槽３３、さらには経路Ｒ3を介して再び攪拌槽１５へと循環して、これら両槽１５、３３内の洗浄が行われる。
【０１４１】
（２）これら両槽１５、３３の洗浄後、攪拌槽１５の洗浄水Ｗ全量が濃度調整槽２６へ落下供給される。一方、この濃度調整槽２６には、濃度調整用給水ポンプ２７により、白水回収槽２０から別途洗浄水Ｗが経路Ｒ4を介して直接供給される。これらの洗浄水Ｗにより、濃度調整槽２６内が洗浄される。
【０１４２】
（３）濃度調整槽２６内の洗浄が済むと、洗浄水Ｗは、第１懸濁液供給ポンプ４４により、経路Ｒ5を介してパルプ供給槽８５へ供給され、このパルプ供給槽８５内が洗浄される。
【０１４３】
（４）パルプ供給槽８５内の洗浄が済むと、このパルプ供給槽８５内に収容される使用済みの洗浄液Ｗは、第２懸濁液供給ポンプ８９により、経路Ｒ6を介して抄紙部４のパルプ供給部５６へ供給され、網状ベルト６０による抄紙工程を経て、上記洗浄液Ｗに含まれる古紙パルプＵＰＰが再生紙ＲＰ（湿紙ＲＰ0）として除去（浄化処理）されて、再び上記白水回収槽２０に回収される。
【０１４４】
すなわち、上記パルプ供給槽８５に収容された使用済みの洗浄水Ｗは、そのパルプ濃度が不明ではあるが（通常運転時に得られるパルプ濃度より一般的に低濃度）、低濃度でもスラッジが微量含有されたパルプであることから、網状ベルト６０を低速で運転することで、抄紙できるので再生紙ＲＰとして排出する。
【０１４５】
この場合、洗浄水Ｗもスラッジが微量含有されたパルプであるので、この洗浄水Ｗで上記網状ベルト６０を洗浄しようとすると、かえってネットが汚れるので、網状ベルト６０は洗浄処理工程の間は停止されている。
【０１４６】
パルプ供給槽８５内の使用済み洗浄水Ｗがなくなったところで、洗浄処理工程１工程が完了する。
【０１４７】
（５）上記（１）〜（４）の工程を複数回繰り返す。
【０１４８】
なお、これら工程（１）〜（５）からなる洗浄システムＣＳによる循環洗浄は、本実施形態においては各古紙再生運転（パルプ製造部２、パルプ濃度調整部３および抄紙部４の通常運転）の終了毎に行う構成とされている。
【０１４９】
また、本実施形態のように、通常運転と洗浄運転が別個独立した運転スイッチによる手動操作とされるほか、これら両運転が自動切替で行われる構成とされてもよく、例えば、上記抄紙部４で脱水回収する白水Ｗによる循環洗浄を、一日の古紙再生装置１の古紙再生運転の終了後に自動的に行う構成とされてもよく、この場合、洗浄システムＣＳによる洗浄運転が深夜に自動で行われる構成が好適に採用され得る。
【０１５０】
制御部５は、上述した離解部１０および抄紙部４の各駆動部の動作を相互に連動して自動制御するもので、具体的には、ＣＰＵ，ＲＯＭ，ＲＡＭおよびＩ／Ｏポートなどからなるマイクロコンピュータで構成されている。
【０１５１】
この制御部５は、前述した洗浄システムＣＳの洗浄制御部１２０を備えるほか、パルプ製造部２のパルプ製造工程および抄紙部４の抄紙工程を連続して実行させるためのプログラム等が組み込まれるとともに、各駆動部の駆動に必要な種々の情報、例えば、離解部１０における攪拌装置１２の駆動時間および給水部１３の動作タイミング、あるいは、抄紙部４における網状ベルト６０および平滑面ベルト９５の走行速度、加熱乾燥部９７の駆動時間および定寸カッタ１１１の動作タイミングなどが、予めデータとしてまたはキーボード等により適宜選択的に入力設定されている。
【０１５２】
また、上記制御部５には、前述したように、各フロートスイッチ２８、２９、４３、８７、８８および各駆動部１７、２１、２７、４４、６１（７２、９６）、８９、１０５、１１１が電気的に接続されており、制御部５は、これらの各種実測値およびデータに従って、上記各駆動部１７、２１、２７、４４、６１（７２、９６）、８９、１０５、１１１を制御する。
【０１５３】
しかして、以上のように構成された古紙再生装置１は、上記通常運転スイッチを入れることによる電源投入により起動して、制御部５により各駆動部が相互に関連して自動制御され、これにより、装置ケース６の投入口６aに投入された古紙ＵＰ、ＵＰ、…は、パルプ製造部２、離解部１０および叩解部１１により離解・叩解処理されて、古紙パルプＵＰＰが製造された後、さらにこの古紙パルプＵＰＰが抄紙部４の抄紙工程部５０、脱水ロール部５１および乾燥工程部５２により抄紙されて、再生紙ＲＰとして再生され、装置ケース６の排出口６ｂから再生紙受取トレー８に排出される。
【０１５４】
また、上述したように、所定のタイミングまたはインターバルをもって、洗浄システムＣＳによる循環洗浄が行われる。
【０１５５】
以上のように構成された古紙再生装置１において、洗浄システムＣＳが、抄紙部４で脱水回収する白水Ｗを、洗浄水としてパルプ製造部２およびパルプ濃度調整部３に循環させることにより、これら上記パルプ製造部２およびパルプ濃度調整部３を洗浄するようにしたから、装置構成部の各所に残っている古紙パルプＵＰＰを有効に洗浄除去することができ、残存する古紙パルプＵＰＰが乾燥して、この乾燥した古紙パルプＵＰＰによる各所の弁やポンプ等の動作不良が発生するのを未然に防止するとともに、残存パルプＵＰＰによる濃度調整誤差の発生を未然に防止することができる。
【０１５６】
また、上記洗浄システムＣＳを備える古紙再生装置１にあっては、以下に列挙するような特有の効果が得られ、大きな事業所等だけでなく、小規模店舗や一般家庭などにも設置可能であるとともに、環境に優しくかつランニングコストも低く抑えることができ、しかも、機密情報や個人情報など各種情報の漏洩・流出を確実に防止できて、高い機密性を保持することができる古紙再生装置１を提供することができる。
【０１５７】
（１）什器サイズの装置ケース６内に、古紙ＵＰを離解し叩解して古紙パルプＵＰＰを製造するパルプ製造部２と、このパルプ製造部２で製造された古紙パルプＵＰＰを抄紙して再生紙ＲＰを製造する抄紙部４とを備えてなる小型簡素な構造の古紙再生装置１が実現し、これにより、古紙ＵＰを廃棄処分することなく、古紙ＵＰの発生元において自前で再生利用することができ、古紙ＵＰの廃棄を軽減して、ゴミ問題解決に役立つばかりか、限りある資源を有効利用することができる。
【０１５８】
特に、この種の古紙ＵＰは機密上の問題からリサイクル化が進んでおらず、上記のように古紙ＵＰの発生元において自前で再生利用することができることにより、資源有効利用の効果は顕著である。
【０１５９】
（２）また、古紙ＵＰの発生場所に、製紙工場や古紙再生工場の大規模な設備と同様な機能を有するコンパクトな古紙再生設備が設置されることにより、小規模店舗や一般家庭などにおいても、連続して紙の循環使用を可能にすることができ、さらには、古紙ＵＰの回収廃棄に要する輸送費や焼却費等の各種経費も不要となって、経済的である。
【０１６０】
（３）装置構造がコンパクトで、大きな事業所等だけでなく、小規模店舗や一般家庭などにも設置可能であり、この観点からも、機密情報や個人情報など各種情報の漏洩・流出を確実に防止することができる。
【０１６１】
（４）古紙ＵＰが発生する場所に配置されて、パルプ製造部２により、発生した古紙ＵＰが離解処理されて古紙パルプＵＰＰとされるとともに、抄紙部４により、上記古紙パルプＵＰＰが抄紙されて再生紙ＲＰとされ、これにより、上記古紙ＵＰが、その発生場所内において再生紙ＲＰとして循環使用される構成とされていることにより、古紙ＵＰに記載された文字や線図等の各種情報が古紙ＵＰの発生場所外へ拡散することが全くなく、この点からも、機密情報や個人情報の漏洩・流出を確実に防止することができ、高い機密性を保持することができ、また資源の有効利用を図ることもできる。
【０１６２】
すなわち、本実施形態の古紙再生装置１を使用することにより、その使用に係る一定の系（例えば、学校、病院、市役所、法律事務所、特許事務所、一般家庭等）の外へ上記各種情報が拡散するおそれが全くなくなる。
【０１６３】
換言すれば、例えば従来周知のシュレッダの場合、古紙が裁断されて小片となり、そこに記載された文字や線図が判読不能となったとしても、裁断された紙片は焼却場等で廃棄処分されることになるため、上記系外への拡散を完全に防止することはできない。この点に関して、上記系外への拡散を防止する目的で、系内の倉庫に保管するという方法も考えられるが、反面、そのような保管場所の確保が必要となり、対象となる紙も一回の使用のみでは、資源の有効利用という観点から効率が悪い。
【０１６４】
これに対して、本実施形態の古紙再生装置１によれば、古紙ＵＰに記載される各種情報がその使用に係る系外へと拡散しまうことは全くなく、しかも、資源を有効に活用することができる。
【０１６５】
実施形態２
本実施形態は図１１および図１２に示されており、主として実施形態１における濃度調整部３の構成が改変され、これに伴って洗浄システムＣＳも若干改変されたものである。
【０１６６】
すなわち、本実施形態の古紙再生装置１においては、パルプ濃度調整部３の構成が主として改変されて、使用水量の減少化と古紙再生装置１全体のよりコンパクト化が図られている。
【０１６７】
本実施形態の濃度調整部３は、パルプ製造部２で製造された古紙パルプＵＰＰの濃度を区分形式で調整する構成とされ、図１１および図１２に示すように、古紙パルプ区分部位３０１および濃度調整部位３０２を主要部として備える。
【０１６８】
また、これに伴って、実施形態１における濃度調整槽２６が、本実施形態においてはパルプ貯留槽として機能し、このパルプ貯留槽２６内には、下限水位用フロートスイッチ４５と上限水位用フロートスイッチ４６のほか、後述するパルプ濃度調整部３のパルプ区分ポンプ３０６が設けられている。
【０１６９】
古紙パルプ区分部位３０１は、パルプ製造部２で製造された古紙パルプＵＰＰの全量から所定分量だけ区分するもので、パルプ区分槽３０５およびパルプ区分ポンプ３０６を備えている。
【０１７０】
パルプ区分槽３０５は、前工程の上記パルプ製造部２で製造された古紙パルプＵＰＰを所定分量だけ区分収容するもので、具体的には、上記パルプ区分ポンプ３０６により、パルプ貯留槽２６内に貯留される古紙パルプＵＰＰの全量から所定分量だけパルプ区分槽３０５に区分供給される。このパルプ区分槽３０５は、後述するように、濃度調整部位３０２の濃度調整槽３０７内に収納配置されている。
【０１７１】
濃度調整部位３０２は、上記パルプ区分部位３０１により区分された所定分量の古紙パルプＵＰＰに対して、濃度調整用の水を加水するもので、具体的には、濃度調整槽３０７および前記給水部１３からなる濃度調整用給水部を備えている。
【０１７２】
濃度調整槽３０７は、上記パルプ区分槽３０５に区分収容された所定分量の古紙パルプＵＰＰおよび濃度調整用の水を収容混合するもので、前述したように、その内部に上記古紙パルプ区分部位３０１のパルプ区分槽３０５が収納配置されて、二重槽の形態とされている。
【０１７３】
具体的には、濃度調整槽３０７内の上部位置に上記パルプ区分槽３０５が設けられるとともに、このパルプ区分槽３０５の底部に、排水口３０５ａが設けられて、パルプ区分槽３０５から上記濃度調整槽３０７への古紙パルプＵＰＰの供給が自然落下方式で行われる構成とされている。
【０１７４】
濃度調整槽３０７とパルプ区分槽３０５がこのような二重槽の形態とされているのは、パルプ濃度調整部３がパルプ製造部２で製造された古紙パルプＵＰＰの濃度を区分形式で調整する構成とされているのと相まって、濃度調整部３の構成の小型化さらには古紙再生装置１の全体構成のコンパクト化図るためである。
【０１７５】
上記パルプ区分槽３０５の内容積は、上記パルプ貯留槽２６に貯留された古紙パルプＵＰＰから区分供給される所定分量（小分けして一度に濃度調整されるべき分量）に応じて設定され、同じく、濃度調整槽３０７の内容積は、上記パルプ区分槽３０５の体積に加えて、パルプ区分槽３０５内に区分収容される古紙パルプＵＰＰに対応した水Ｗの量に応じて設定されている。
【０１７６】
図示の実施形態においては、パルプ貯留槽２６が、例えば、２５枚程度（約１００ｇ）のＡ４判の古紙ＵＰがバッチ処理されて、これに対応した量の古紙パルプＵＰＰを貯留できる容積を有するとすると、パルプ区分槽３０５の内容積は、例えば１５０ｃｃ程度収容可能な大きさに設定され、また、濃度調整槽３０７の内容積は、例えば、３０００ｃｃ程度収容可能な大きさに設定される。
【０１７７】
これに関連して、上述したように、パルプ区分槽３０５の底部には、排水口３０５aが設けられており、この排水口３０５aは、具体的には図４に示すように、排水弁３０５ｂにより開閉動作される構成とされている。この排水弁３０５ｂは、具体的には電磁開閉弁からなり、制御部５に電気的に接続されている。また、濃度調整槽３０７の底部には、排水口３０７ａが設けられており、この排水口３０７ａは排水弁３０７ｂにより開閉動作される構成とされている。これら排水弁３０５ｂ、３０７ｂは具体的には電磁開閉弁からなり、それぞれ上記制御部５に電気的に接続されている。
【０１７８】
濃度調整用給水部１３は、上記濃度調整槽３０７に水を供給するもので、前述のごとく、離解部１０の攪拌装置１２に水を供給する給水部と兼用とされている。この濃度調整用給水部１３は、濃度調整用給水ポンプ２７が制御部５により駆動制御されて、上記パルプ区分槽３０５から上記濃度調整槽３０７に供給された所定分量の古紙パルプＵＰＰを含めて所定体積となるように、上記濃度調整槽３０７に水Ｗを供給する。
【０１７９】
具体的には、まず、上記攪拌槽１５からパルプ貯留槽２６に供給収容される古紙パルプＵＰＰの全量（約１００ｇの古紙ＵＰ＋５０００ｃｃの水Ｗ）から、パルプ区分ポンプ３０６により、所定分量（１５０ｃｃ）の古紙パルプＵＰＰが区分されて、古紙パルプ区分部位３０１のパルプ区分槽３０５へ移送収容される。一方、この区分された古紙パルプＵＰＰの所定分量に対応して、濃度調整用給水ポンプ２７により、濃度調整用給水部１３の白水回収槽２０から上記濃度調整部位３０２の濃度調整槽３０７に、水Ｗが約３０００ｃｃ（正確には、古紙パルプＵＰＰの所定分量（１５０ｃｃ）との合計が３０００ｃｃとなる量）だけ移送収容される。
【０１８０】
続いて、上記パルプ区分槽３０５の排水口３０５aが排水弁３０５ｂにより開放されて、パルプ区分槽３０５の古紙パルプＵＰＰが全量（１５０ｃｃ）、上記濃度調整槽３０７内へ自重により落下供給されて、濃度調整槽３０７内の水Ｗと混合される。これにより、濃度調整槽３０７内には、所定濃度（約０．１％濃度（目標濃度））のパルプ懸濁液ＰＳが混合調製される。
【０１８１】
なお、上記濃度調整工程において、（ａ）上記パルプ区分槽３０５の古紙パルプＵＰＰが上記濃度調整槽３０７内へ供給されてから、濃度調整用給水ポンプ２７により、上記濃度調整槽３０７に水Ｗが移送収容されて、濃度調整槽３０７内の古紙パルプＵＰＰと混合希釈されて、所定濃度（約０．１％濃度（目標濃度））のパルプ懸濁液ＰＳが混合調製されるようにしてもよく、あるいは、（ｂ）上記パルプ区分槽３０５の古紙パルプＵＰＰが上記濃度調整槽３０７内へ供給されてから、濃度調整用給水ポンプ２７により、水Ｗが、上記パルプ区分槽３０５を介して濃度調整槽３０７に水Ｗが移送収容されて、濃度調整槽３０７内で上記古紙パルプＵＰＰと混合希釈されて、所定濃度（約０．１％濃度（目標濃度））のパルプ懸濁液ＰＳが混合調製されるようにしてもよい。
【０１８２】
なお、この調製されるべきパルプ懸濁液ＰＳの目標濃度は、予め行なった実験データに基づいて、抄紙部４における抄紙能力を考慮して設定され、図示の実施形態の場合は約０．１％濃度に設定されている。
【０１８３】
しかして、上記パルプ濃度調整部３の濃度調整槽３０７で約０．１％濃度（目標濃度）に調製されたパルプ懸濁液ＰＳは、濃度調整槽３０７の底部の排水口３０７aが排水弁３０７ｂにより開放されて、その全量が次工程の抄紙部４のパルプ供給槽８５へ自重により落下供給されて、貯留される。
【０１８４】
なお、パルプ濃度調整部３における古紙パルプＵＰＰの濃度を区分形式で調整する濃度調整インターバルは、少なくとも、後工程の抄紙部４への濃度調整済みのパルプ懸濁液ＰＳの供給能力が抄紙部４における抄紙処理能力を上回るように設定される。
【０１８５】
具体的には、上記濃度調整インターバルは、上記パルプ供給槽８５内のパルプ懸濁液ＰＳが一定値以下にならない程度のタイミングをもって設定され、例えば、抄紙部４が、３リットルのパルプ懸濁液ＰＳを約１分間で抄紙処理するように制御されるとすると、上記パルプ濃度調整部３による濃度調整インターバルが１分以内に設定される。
【０１８６】
このように、パルプ濃度調整部３による濃度調整が全量一括式ではなく、区分形式つまり小出し形式で行われることにより、使用水量が大幅に減少されるばかりか、濃度調整槽３０７の形状寸法の大幅な縮小化も可能となり、さらには古紙再生装置１全体のコンパクト化が図られ得る。
【０１８７】
本実施形態の洗浄システムＣＳは、パルプ濃度調整部３による濃度調整が区分形式で行われる構成とされることに伴って、実施形態１の構成が若干改変されている。
【０１８８】
具体的には、本実施形態の洗浄システムＣＳは、図１２に示すように、洗浄水循環経路Ｒ1〜Ｒ6が若干改変されている。
【０１８９】
すなわち、洗浄水循環経路Ｒ1〜Ｒ6は、具体的には、白水回収槽２０から攪拌槽１５に至る経路Ｒ1、攪拌槽１５から叩解槽３３に至る経路Ｒ2、叩解槽３３から攪拌槽１５に至る経路Ｒ3、パルプ貯留槽２６からパルプ区分槽３０５に至る経路Ｒ4、白水回収槽２０から濃度調整槽３０７に至る経路Ｒ5、およびパルプ供給槽８５からパルプ供給部５６に至る経路Ｒ6で構成されている。
【０１９０】
洗浄制御部１２０は、以下の洗浄工程（１）〜（６）を実行するように、上記給水部１３の給水ポンプ２１、２７と循環ポンプ１８、３０６、８９を連動制御する構成とされており、またこの洗浄工程において、これらポンプ２１、１８、３０６、２７、８９の駆動に連動して、洗浄処理される上記パルプ製造部２およびパルプ濃度調整部３、さらには抄紙部４を駆動制御する構成とされている。
【０１９１】
すなわち、実施形態１と同様に、図外の通常運転スイッチと別個独立して設けられた洗浄運転スイッチを入れると、上記洗浄制御部１２０により、以下の洗浄工程（１）〜（６）が実行されて、抄紙部４で脱水回収する白水Ｗが洗浄水としてパルプ製造部２およびパルプ濃度調整部３に循環して、これらパルプ製造部２およびパルプ濃度調整部３が洗浄される。
【０１９２】
（１）白水回収槽２０内に脱水回収されている白水Ｗが、給水ポンプ２１により、経路Ｒ1を介してパルプ製造部２の攪拌槽１５に供給され、さらに供給ポンプ１８により、経路Ｒ2を介して叩解槽３３に入る。
【０１９３】
これと連動して、攪拌槽１５の攪拌装置１２および叩解槽３３の叩解部材３１、３２が相対的に回転駆動し、これにより、洗浄水Ｗは、攪拌槽１５から叩解槽３３、さらには経路Ｒ3を介して再び攪拌槽１５へと循環して、これら両槽１５、３３内の洗浄が行われる。
【０１９４】
（２）これら両槽１５、３３の洗浄後、攪拌槽１５の洗浄水Ｗ全量がパルプ貯留槽２６へ落下供給され、このパルプ貯留槽２６内が洗浄される。
【０１９５】
（３）このパルプ貯留槽２６の洗浄後、貯留槽２６の洗浄水Ｗが、パルプ区分ポンプ３０６により、経路Ｒ4を介してパルプ区分槽３０５へ供給されて、このパルプ区分槽３０５内を洗浄した後、濃度調整槽３０７へ落下供給される。
一方、この濃度調整槽３０７には、濃度調整用給水ポンプ２７により、白水回収槽２０から別途洗浄水Ｗが経路Ｒ5を介して直接供給される。これらの洗浄水Ｗにより、濃度調整槽３０７内が洗浄される。
【０１９６】
（４）濃度調整槽３０７内の洗浄が済むと、洗浄水Ｗは、パルプ供給槽８５へ落下供給されて、このパルプ供給槽８５内が洗浄される。
【０１９７】
（５）パルプ供給槽８５内の洗浄が済むと、このパルプ供給槽８５内に収容される使用済みの洗浄液Ｗは、第２懸濁液供給ポンプ８９により、経路Ｒ6を介して抄紙部４のパルプ供給部５６へ供給され、網状ベルト６０による抄紙工程を経て、上記洗浄液Ｗに含まれる古紙パルプＵＰＰが再生紙ＲＰ（湿紙ＲＰ0）として除去（浄化処理）されて、再び上記白水回収槽２０に回収される。
【０１９８】
パルプ供給槽８５内の使用済み洗浄水Ｗがなくなったところで、洗浄処理工程１工程が完了する。
【０１９９】
（６）上記（１）〜（５）の工程を複数回繰り返す。
【０２００】
なお、これら工程（１）〜（６）からなる洗浄システムＣＳによる循環洗浄が、本実施形態においては各古紙再生運転（パルプ製造部２、パルプ濃度調整部３および抄紙部４の通常運転）の終了毎に行う構成とされている点、また、本実施形態のように、通常運転と洗浄運転が別個独立した運転スイッチによる手動操作とされるほか、これら両運転が自動切替で行われる構成とされてもよく、例えば、上記抄紙部４で脱水回収する白水Ｗによる循環洗浄を、一日の古紙再生装置１の古紙再生運転の終了後に自動的に行う構成とされてもよく、この場合、洗浄システムＣＳによる洗浄運転が深夜に自動で行われる構成が好適に採用され得る点については、実施形態１と同様である。
その他の構成および作用は実施形態１と同様である。
【０２０１】
なお、上述した実施形態はあくまでも本発明の好適な実施態様を示すものであって、本発明はこれに限定されることなく、その範囲内で種々の設計変更が可能である。
【図面の簡単な説明】
【０２０２】
【図１】本発明の実施形態１である古紙再生装置の全体構成を、装置ケースを切開して示す正面図である。
【図２】同じく同古紙再生装置の全体構成を、装置ケースを切開して示す側面図である。
【図３】同古紙再生装置におけるパルプ製造部の叩解部の主要部を示す正面断面図である。
【図４】同古紙再生装置における全体構成を模式的に示す概略構成図である。
【図５】同古紙再生装置の抄紙部の概略構成を示す斜視図である。
【図６】同抄紙部における駆動連結機構を示す平面図である。
【図７】同抄紙部におけるパルプ供給部の構成を拡大して示す斜視図である。
【図８】同じく同パルプ供給部の構成を一部切開して示す正面図である。
【図９】同抄紙部における脱水ロール部の圧搾脱水の具体的メカニズムを説明するための模式図で、図９（ａ）は基本的な圧搾脱水メカニズムを示し、図９（ｂ）はスラリー化防止ロールが脱水ロール部の上流側近傍位置に設けられている場合の圧搾脱水メカニズムを示す。
【図１０】同古紙再生装置の外観構成を示す斜視図である。
【図１１】本発明の実施形態２である古紙再生装置の全体構成を、装置ケースを切開して示す正面図である。
【図１２】同古紙再生装置における全体構成を模式的に示す概略構成図である。
【符号の説明】
【０２０３】
ＵＰ                        古紙
ＣＵＰ                      裁断古紙
Ｗ                          水（白水）
ＵＰＰ                      古紙パルプ
ＰＳ                        パルプ懸濁液
ＲＰ0                        湿紙
ＲＰ                        再生紙
ＣＳ                        洗浄システム
Ｒ1〜Ｒ6                    洗浄水循環経路
１                          古紙再生装置
２                          パルプ製造部
３                          パルプ濃度調整部
４                          抄紙部
５                          制御部
１３                        給水部
１５                        攪拌槽
２０                        白水回収槽
２６                        濃度調整槽、パルプ貯留槽
２７                        濃度調整用給水ポンプ
３０１                      古紙パルプ区分部（古紙パルプ区分手段）
３０２                      濃度調整部（濃度調整手段）
３０５                      パルプ区分槽
３０６                      パルプ区分ポンプ
３０７                      濃度調整槽
２１                        給水ポンプ
２７                        濃度調整用給水ポンプ
３３                        叩解槽
３４                        駆動源
４４                        第１懸濁液供給ポンプ
５５                        抄紙コンベア
５６                        パルプ供給部
６０                        網状ベルト
８５                        パルプ供給槽
８９                        第２懸濁液供給ポンプ
１２０                      洗浄制御部
３０５                      パルプ区分槽
３０６                      パルプ区分ポンプ
３０７                      濃度調整槽
【図１】
2008184699.tif 000003
【図２】
2008184699.tif 000004
【図３】
2008184699.tif 000005
【図４】
2008184699.tif 000006
【図５】
2008184699.tif 000007
【図６】
2008184699.tif 000008
【図７】
2008184699.tif 000009
【図８】
2008184699.tif 000010
【図９】
2008184699.tif 000011
【図１０】
2008184699.tif 000012
【図１１】
2008184699.tif 000013
【図１２】
2008184699.tif 000014
【手続補正書】
【提出日】平成19年4月11日(2007.4.11)
【手続補正１】
【補正対象書類名】図面
【補正対象項目名】全図
【補正方法】変更
【補正の内容】
【図１】
2008184699.tif 000015
【図２】
2008184699.tif 000016
【図３】
2008184699.tif 000017
【図４】
2008184699.tif 000018
【図５】
2008184699.tif 000019
【図６】
2008184699.tif 000020
【図７】
2008184699.tif 000021
【図８】
2008184699.tif 000022
【図９】
2008184699.tif 000023
【図１０】
2008184699.tif 000024
【図１１】
2008184699.tif 000025
【図１２】
2008184699.tif 000026